(57)【要約】      （修正有）【課題】フィルタ自動清掃機構を備えた空気調和装置であって、フィルタ装着時に２つのラックとギアとの噛み合いが互いにずれることを防止した空気調和機を提供する。【解決手段】空気調和機の室内ユニットでは、フィルタ２１は、フィルタ清掃部のフレームに対し着脱可能である。また、フィルタ２１には、ピニオン３１と噛み合う第１ギア２１１及び第２ギア２１２が形成されている。第１ギア２１１と第２ギア２１２とは、フィルタ２１の移動方向と交差する幅方向に所定距離だけ離れて位置している。また、所定距離に対する第１ギア２１１及び第２ギア２１２の山部２１ｍのピッチＰの比率が０．０２０〜０．０５０である。第１ギア２１１とピニオン３１との噛み合い位置に対して、第２ギア２１２とピニオン３１との噛み合い位置がずれていた場合でも、フィルタ２１の姿勢が不自然となり変形による反発力が増す。【選択図】図６
2012102905.tif 000002
【特許請求の範囲】
【請求項１】
塵埃除去手段（６１）と、
前記塵埃除去手段（６１）に接触しながら移動するフィルタと、
前記フィルタを移動させるための駆動ギア（３１）と、
を備え、
前記フィルタには、前記駆動ギア（３１）と噛み合う第１ギア（２１１）および第２ギア（２１２）が形成され、
前記第１ギア（２１１）と前記第２ギア（２１２）とは、前記フィルタの移動方向と交差する幅方向に所定距離（Ｌ）だけ離れて位置し、
前記所定距離（Ｌ）に対する前記第１ギア（２１１）および前記第２ギア（２１２）の山部のピッチ（Ｐ）の比率が０．０２０〜０．０５０である、
空気調和機。
【請求項２】
塵埃除去手段（６１）と、
前記塵埃除去手段（６１）に接触しながら移動するフィルタ群（２１）と、
前記フィルタ群（２１）を移動させるための駆動ギア（３１）と、
を備え、
前記フィルタ群（２１）は、移動方向と交差する方向の幅寸法がそれぞれ異なる複数のフィルタを含み、
複数の前記フィルタそれぞれには、前記駆動ギア（３１）と噛み合う第１ギア（２１１）および第２ギア（２１２）が形成され、
前記第１ギア（２１１）と前記第２ギア（２１２）とは、複数の前記フィルタ毎に、前記フィルタそれぞれの前記幅寸法に応じて所定距離だけ離れて位置し、
前記所定距離のうち最も大きい所定距離（Ｌ）に対する前記第１ギア（２１１）および前記第２ギア（２１２）の山部のピッチ（Ｐ）の比率が０．０２０〜０．０５０である、
空気調和機。
【請求項３】
前記所定距離（Ｌ）に対する前記第１ギア（２１１）および前記第２ギア（２１２）の山部のピッチ（Ｐ）の比率が０．０２５〜０．０４０である、
請求項１又は請求項２に記載の空気調和機。
【請求項４】
前記第１ギア（２１１）および前記第２ギア（２１２）では、前記山部および前記山部に隣接する谷部が並ぶ方向において、前記谷部の長さは前記山部の長さより大きい、
請求項１又は請求項２に記載の空気調和機。
【請求項５】
前記フィルタを移動可能に保持するフレーム（４１）をさらに備え、
前記フィルタは、前記フレーム（４１）に対し着脱可能である、
請求項１又は請求項２に記載の空気調和機。
【請求項６】
前記フィルタを前記フレーム（４１）側へ押して、前記フレーム（４１）からの前記フィルタの浮き上がりを防止する、押さえ部材（４３）
をさらに備え、
前記押さえ部材（４３）は、
前記フィルタが前記フレーム（４１）から外されるとき、前記フィルタから離れる方向に操作され、
前記フィルタが前記フレーム（４１）に装着されたとき、前記フィルタに接する方向に操作される、
請求項５に記載の空気調和機。
【請求項７】
前記第１ギア（２１１）および前記第２ギア（２１２）は前記駆動ギア（３１）と前記押さえ部材（４３）とによって挟まれる、
請求項６に記載の空気調和機。
【発明の詳細な説明】
【技術分野】
【０００１】
本発明は、空気調和機に関し、特に、フィルタをギアで移動させながらフィルタに付着した塵埃を除去するフィルタ自動清掃機能付の空気調和機に関する。
【背景技術】
【０００２】
近年、フィルタを自動で清掃することができるフィルタ自動清掃機能付の空気調和機が広く普及している。例えば、特許文献１（特開２００８−１３８９７７号公報）に開示されている空気調和機は、フィルタおよびフィルタを移動させるギアを備え、そのフィルタの縦枠にギアと噛み合う２つのラックが形成されている。なお、２つのラックはフィルタの横方向に離れているので、各ラックそれぞれに対応するように２つのギアが存在する。
【発明の概要】
【発明が解決しようとする課題】
【０００３】
しかしながら、上記のような、２つのラックそれぞれにギアの動力を伝達させる機構では、フィルタが装着されるときに２つのラックとギアとの噛み合いが互いに１ピッチずれた状態で取り付けられた場合、往復運転時にフィルタが引っ掛かる可能性がある。
【０００４】
本発明の課題は、フィルタ自動清掃機構を備えた空気調和装置であって、フィルタ装着時に２つのラックとギアとの噛み合いが互いにずれることを防止した空気調和機を提供することにある。
【課題を解決するための手段】
【０００５】
本発明の第１観点に係る空気調和機は、塵埃除去手段と、フィルタと、駆動ギアとを備える。フィルタは、塵埃除去手段に接触しながら移動する。駆動ギアは、フィルタを移動させる。また、フィルタには、駆動ギアと噛み合う第１ギアおよび第２ギアが形成されている。第１ギアと第２ギアとは、フィルタの移動方向と交差する幅方向に所定距離Lだけ離れて位置する。所定距離Ｌに対する第１ギアおよび第２ギアの山部のピッチＰの比率が０．０２０〜０．０５０である。
【０００６】
この空気調和機では、仮に、第１ギアと駆動ギアとの噛み合い位置に対して、第２ギアと駆動ギアとの噛み合い位置がずれていた場合、第１ギアと第２ギアとの距離Ｌに対する第１ギアおよび第２ギアの山部のピッチＰの比率が０．０２０〜０．０５０であるので、フィルタの姿勢が不自然となり変形による反発力が増す。その結果、フィルタが自らの力で正しい位置へ復帰しようとする。また、見た目にもギア同士の噛み合いズレが明らかになるので、人によるフィルタの誤装着も抑制される。
【０００７】
本発明の第２観点に係る空気調和機は、塵埃除去手段と、フィルタ群と、駆動ギアとを備える。フィルタ群は、塵埃除去手段に接触しながら移動する。駆動ギアは、フィルタ群を移動させる。また、フィルタ群は、移動方向と交差する方向の幅寸法がそれぞれ異なる複数のフィルタを含む。複数のフィルタそれぞれには、駆動ギアと噛み合う第１ギアおよび第２ギアが形成されている。第１ギアと第２ギアとは、複数のフィルタ毎に、フィルタそれぞれの幅寸法に応じて所定距離だけ離れて位置する。所定距離のうち最も大きい所定距離Ｌに対する第１ギアおよび第２ギアの山部のピッチＰの比率が０．０２０〜０．０５０である。
【０００８】
この空気調和機では、仮に、第１ギアと駆動ギアとの噛み合い位置に対して、第２ギアと駆動ギアとの噛み合い位置がずれていた場合、第１ギアと第２ギアとの距離Ｌに対する第１ギアおよび第２ギアの山部のピッチＰの比率が０．０２０〜０．０５０であるので、フィルタの姿勢が不自然となり変形による反発力が増す。その結果、フィルタが自らの力で正しい位置へ復帰しようとする。また、見た目にもギア同士の噛み合いズレが明らかになるので、人によるフィルタの誤装着も抑制される。
【０００９】
本発明の第３観点に係る空気調和機は、第１観点または第２観点に係る空気調和機であって、所定距離Ｌに対する第１ギアおよび第２ギアの山部のピッチＰの比率が０．０２５〜０．０４０である。
【００１０】
この空気調和機では、少なくとも第１観点または第２観点に係る空気調和機と同等以上の効果が得られる。
【００１１】
本発明の第４観点に係る空気調和機は、第１観点または第２観点に係る空気調和機であって、第１ギアおよび第２ギアでは、山部および山部に隣接する谷部が並ぶ方向において、谷部の長さは山部の長さより大きい。
【００１２】
この空気調和機では、第１ギアおよび第２ギアの谷部の長さが山部の長さより大きいので、第1ギアおよび第２ギアは屈曲し易い。したがって、フィルタが円弧状の軌道を循環する場合、容易に屈曲するので移動時に駆動ギアにかかる負荷が低減される。
【００１３】
本発明の第５観点に係る空気調和機は、第１観点または第２観点に係る空気調和機であって、フィルタを移動可能に保持するフレームをさらに備える。フィルタは、フレームに対し着脱可能である。
【００１４】
フィルタが着脱可能であるのでユーザーによるフィルタ交換の機会が増え、その分、ギア同士の噛み合いズレが発生しやすくなるが、この空気調和機では、ギア同士の噛み合いズレが発生したときフィルタの姿勢が不自然となり変形による反発力が増すので、フィルタが自らの力で正しい位置へ復帰しようとする。また、見た目にもギア同士の噛み合いズレが明らかになるので、ユーザー自身がフィルタの誤装着を認知し修正する。
【００１５】
本発明の第６観点に係る空気調和機は、第５観点に係る空気調和機であって、押さえ部材をさらに備える。押さえ部材は、フィルタをフレーム側へ押して、フレームからのフィルタの浮き上がりを防止する。また、押さえ部材は、フィルタがフレームから外されるとき、フィルタから離れる方向に操作される。また、押さえ部材は、フィルタがフレームに装着されたとき、フィルタに接する方向に操作される。
【００１６】
この空気調和機では、ユーザーが、ギア同士の噛み合いズレを発生させ、そのことに気付かずにいても、フィルタが不自然に変形しているので、ユーザーは、押さえ部材をフィルタに接触させた時点でフィルタの誤装着を認知することができる。
【００１７】
本発明の第７観点に係る空気調和機は、第６観点に係る空気調和機であって、第１ギアおよび第２ギアが駆動ギアと押さえ部材とによって挟まれる。
【００１８】
この空気調和機では、第１ギアおよび第２ギアが駆動ギアからの動力伝達を受けたときの反力でフィルタがフレームから浮き上がろうとしても、押さえ部材がフィルタをフレーム側へ押しているので、フレームから浮き上がることは防止される。
【発明の効果】
【００１９】
本発明の第１観点から第３観点のいずれかに係る空気調和機では、第１ギアと駆動ギアとの噛み合い位置に対して、第２ギアと駆動ギアとの噛み合い位置がずれていた場合でも、フィルタが自らの力で正しい位置へ復帰しようとする。また、見た目にもギア同士の噛み合いズレが明らかになるので、人によるフィルタの誤装着も抑制される。
【００２０】
本発明の第４観点に係る空気調和機では、フィルタが円弧状の軌道を循環する場合、容易に屈曲するので移動時に駆動ギアにかかる負荷が低減される。
【００２１】
本発明の第５観点に係る空気調和機では、ギア同士の噛み合いズレが発生したときフィルタの姿勢が不自然となり変形による反発力が増すので、フィルタが自らの力で正しい位置へ復帰しようとする。また、見た目にもギア同士の噛み合いズレが明らかになるので、ユーザー自身がフィルタの誤装着を認知し修正する。
【００２２】
本発明の第６観点に係る空気調和機では、ユーザーがギア同士の噛み合いズレを発生させ、そのことに気付かずにいても、フィルタが不自然に変形しているので、ユーザーは、押さえ部材をフィルタに接触させた時点でフィルタの誤装着を認知することができる。
【００２３】
本発明の第７観点に係る空気調和機では、第１ギアおよび第２ギアが駆動ギアからの動力伝達を受けたときの反力でフィルタがフレームから浮き上がろうとしても、押さえ部材がフィルタをフレーム側へ押しているので、フレームから浮き上がることは防止される。
【図面の簡単な説明】
【００２４】
【図１】本発明の一実施形態に係る空気調和機を構成する室内ユニットの断面図。
【図２】フィルタ清掃部の斜視図。
【図３】室内熱交換器側から視たフィルタの平面図
【図４】フィルタとローラーの斜視図。
【図５】互いに噛み合うフィルタおよびピニオンの側面図。
【図６】フィルタの第１ギアとピニオンとの噛み合い、及び第２ギアとピニオンとの噛み合いが互いに１ピッチずれた状態のときの当該フィルタの側面図。
【図７】フィルタ押さえ部材がフィルタ案内溝の前方を閉じているときのフィルタ清掃部の断面図。
【図８】フィルタ押さえ部材がフィルタ案内溝の前方を開けているときのフィルタ清掃部の断面図。
【発明を実施するための形態】
【００２５】
以下図面を参照しながら、本発明の実施形態について説明する。なお、以下の実施形態は、本発明の具体例であって、本発明の技術的範囲を限定するものではない。
【００２６】
（１）空気調和機の構成
図１は、本発明の一実施形態に係る空気調和機を構成する室内ユニットの断面図である。図１において、室内ユニット２は、室内の壁面に取り付けられる壁掛け型の室内ユニットであり、図１に示すように、ケーシング１０と、フレーム１１、室内熱交換器１２、ファン１３、フィルタ２１及びダストボックス６０等を有している。
【００２７】
ケーシング１０は、グリル１０ａと前面パネル１０ｂと背面板１０ｃとを含む。グリル１０ａはフィルタ２１を覆うように配置されている。また、前面パネル１０ｂは、グリル１０ａの前面を覆うように取付けられている。
【００２８】
室内ユニット２の内部には、フレーム１１、室内熱交換器１２、ファン１３、及びフィルタ２１が配置されている。室内熱交換器１２及びファン１３は、フレーム１１に取り付けられている。室内熱交換器１２は、通過する空気との間で熱交換を行う。ファン１３は、室内から取り込んだ空気を、室内熱交換器１２に当てて通過させた後、室内に吹き出す。
【００２９】
フレーム１１の前面下部には、吹出口１５が設けられており、吹出口１５から吹き出される空気を案内する第１フラップ１７ａ、第２フラップ１７ｂ、第３フラップ１７ｃ及び第４フラップ１７ｄが、吹出口１５に設けられている。各フラップは、空気の案内方向を変更したり、吹出口１５を開閉したりすることができる。
【００３０】
（２）フィルタ清掃部４０の構成
図２は、フィルタ清掃部の斜視図である。図１及び図２において、フィルタ清掃部４０は、グリル１０ａと室内熱交換器１２との間に配置されている。フィルタ２１は、フィルタ清掃部４０内に収納され、正規の状態では、室内熱交換器１２の上面側のほぼ全域を覆うように配置されている。
【００３１】
また、フィルタ２１は、室内熱交換器１２に向って流入してくる空気に含まれる塵埃を除去し、塵埃が室内熱交換器１２の表面を汚染することを防止している。フィルタ清掃部４０は、塵埃が付着したフィルタ２１を自動清掃し、その塵埃をダストボックス６０に溜める。また、フィルタ清掃部４０は、フィルタ２１を移動させるローラー３０と、フィルタ２１及びローラー３０を支持するフレーム４１とを有している。
【００３２】
（２−１）（フィルタ２１）
図３は、室内熱交換器側から視たフィルタの平面図である。また、図４は、フィルタとローラーの斜視図である。図３及び図４において、フィルタ２１は、帯状で、空気中の塵埃を除去するフィルタ部２２と、フィルタ部２２の上下端、左右端及び中央部を支える縁２３とを有する。本実施形態では、縁２３は、エラストマで成形されており、外力によって容易に変形させられるが、外力が無くなると容易に復元される。なお、縁２３の材質はエラストマに限定されるものではなく、ゴム、樹脂などの高分子材料から選定される。フィルタ２１の左右端の縁２３には、ピニオン３１と噛み合う第１ギア２１１及び第２ギア２１２が形成されている。第１ギア２１１と第２ギア２１２とは、フィルタ２１の移動方向と交差する幅方向に距離Ｌだけ離れて位置している。
【００３３】
また、図５は、互いに噛み合うフィルタおよびピニオンの側面図である。図５において、第１ギア２１１および第２ギア２１２それぞれでは、山部２１ｍおよび山部２１ｍに隣接する谷部２１ｖが並ぶ方向において、谷部２１ｖの長さVが山部２１ｍの長さMより大きい。また、距離Ｌ（図３参照）に対する山部２１ｍのピッチＰの比率は０．０２０〜０．０５０である。
【００３４】
このような比率を採用する背景には、フィルタ２１が装着されたときに、第１ギア２１１とピニオン３１との噛み合い、及び第２ギア２１２とピニオン３１との噛み合いが互いに１ピッチずれた状態で取り付けられたときに、フィルタ２１をユーザーに認知される程度の大きさまで変形させる、という意図がある。
【００３５】
図６は、フィルタの第１ギアとピニオンとの噛み合い、及び第２ギアとピニオンとの噛み合いが互いに１ピッチずれた状態のときの当該フィルタの側面図である。なお、第１ギア２１１は図６正面視手前側に位置するものとして実線で表示され、第２ギア２１２は図６正面視奥側に位置するものとして２点鎖線で表示されている。
【００３６】
図６において、第２ギア２１２は第１ギア２１１に対してピッチPだけ上方にずれてピニオン３１と噛み合っている。このため、フィルタ２１の第２ギア２１２側の縁はピッチPに相当する長さ分を吸収しなければならないが、フレーム４１（図１参照）に収納された状態ではフィルタ２１は移動できないので、フィルタ２１は弓状に撓もうとする。
【００３７】
しかし、フィルタ２１の正面側および背面側もフレーム４１に保持されているので、十分に撓むことができず、最終的にフィルタ２１の第１端部２１ａの上方が、ピニオン３１から離れる方向に撓んでピッチＰに相当する長さ分を吸収する。この撓みは、ピッチＰが長いほど大きくなる。
【００３８】
出願人は、ユーザーがフィルタ２１の第１ギア２１１及び第２ギア２１２それぞれとピニオン３１との噛み合わせをずらして装着したとき、フィルタ２１の撓みがユーザーに認知され易い大きさになる、ピッチＰと距離Ｌとの関係が存在すると推定し実験を行った。
【００３９】
出願人の実験によれば、６≦ピッチＰ≦１５の範囲では、０．０２０≦Ｐ／Ｌ≦０．０５０の範囲に収まるように距離Ｌが設定されることによって、フィルタ２１の誤装着が人に確認され易くなる。特に、０．０２５≦Ｐ／Ｌ≦０．０４０の範囲に収まるように距離Ｌが設定されたとき、フィルタ２１の誤装着はほとんど発生しないことが確認された。
【００４０】
なお、本実施形態では、谷部２１ｖの長さV＝７ｍｍ、山部２１ｍの長さM＝３ｍｍ、山部２１ｍのピッチＰ＝１０ｍｍ、距離Ｌ＝３００が採用されているので、距離Ｌに対する山部２１ｍのピッチＰの比率は０．０３３である。
【００４１】
（２−２）ローラー３０
ローラー３０は、その回転軸がフィルタ２１の移動方向（図４の点線の矢印で示される方向）と直交し、かつフィルタ平面に沿う方向に延び、その両端にピニオン３１を有している。各ピニオン３１は、第１ギア２１１と第２ギア２１２と噛み合い、ピニオン３１が回転することによって、フィルタ２１は所定の軌道に沿って移動する。各ピニオン３１の中央には、外側へ突出する回転軸３３が設けられており、回転軸３３は、フレーム４１の軸受に支持される。
【００４２】
図５に示すように、ピニオン３１の山部３１ｍは第１ギア２１１又は第２ギア２１２の谷部２１ｖと噛み合い、ピニオン３１の谷部３１ｖは第１ギア２１１又は第２ギア２１２の山部２１ｍと噛み合う。
【００４３】
（２−３）フレーム４１
図１及び図２において、フレーム４１は、フィルタ２１が移動するための軌道となるフィルタ案内溝４２と、ピニオン３１の回転軸３３を支持する軸受とを有している。
【００４４】
フィルタ案内溝４２は、前方案内溝４２ａと下方案内溝４２ｂと後方案内溝４２ｃと上方案内溝４２ｄとから成る。前方案内溝４２ａ及び後方案内溝４２ｃの長さは、フィルタ２１の長手方向の約３分の２の長さに相当し、上方案内溝４２ｄの長さは、フィルタ２１の長手方向の約３分の１の長さに相当する。下方案内溝４２ｂは、前述したピニオン３１の歯先円と同軸の円弧軌道を形成しており、前方案内溝４２ａの下端と後方案内溝４２ｃの下端とを結んでいる。前方案内溝４２ａの上端と後方案内溝４２ｃの上端は、共に上方案内溝４２ｄの入口と繋がっている。なお、フィルタ２１の停止位置は、上方案内溝４２ｄの終端近傍に配置されているリミットスイッチ（図示せず）によって検知される。
【００４５】
（２−４）ダストボックス６０
図１においてダストボックス６０は、フィルタ２１に付着した塵埃を除去して、その塵埃を一時的に溜める機能を有している。そのため、ダストボックス６０には、回転ブラシ６１が配設されており、この回転ブラシ６１がフィルタ２１に接触している。そして、回転ブラシ６１は、ブラシ駆動モータ（図示せず）によって回転駆動される。
【００４６】
（３）フィルタ清掃動作
室内ユニット２では、制御部により定期的に、或いは使用者が必要とするときにリモコンによってフィルタ２１が自動的に清掃される。以下、その仕組みについて説明する。
【００４７】
フィルタ２１の第1ギア２１１及び第２ギア２１２それぞれは、前方案内溝４２ａと上方案内溝４２ｄとに収まっており、第1ギア２１１及び第２ギア２１２それぞれの一端（第１端部２１ａ）はピニオン３１と噛み合っている。ローラー３０が回転すると、ピニオン３１から第1ギア２１１及び第２ギア２１２それぞれに回転が伝達され、フィルタ２１は、ローラー３０によって下方案内溝４２ｂで方向転換して後方案内溝４２ｃ側へ搬送される。ローラー３０が回転し続けると、第１端部２１ａは上方案内溝４２ｄに入り上方案内溝４２ｄの終端に到達する。
【００４８】
第１端部２１ａが上方案内溝４２ｄの終端に到達すると、リミットスイッチが押されオン動作する。空調機の制御部は、リミットスイッチから出力されるオン信号から、第１端部２１ａが上方案内溝４２ｄの終端に到達したと判断し、ローラー３０の回転を停止させる。このとき、第1ギア２１１及び第２ギア２１２それぞれは、後方案内溝４２ｃと上方案内溝４２ｄとに収まっており、第1ギア２１１及び第２ギア２１２それぞれの他端（第２端部２１ｂ）はピニオン３１と噛み合っている。
【００４９】
フィルタ２１が移動する際に、フィルタ２１の表面に付着していた塵埃は回転ブラシ６１によって掻き落される。回転ブラシ６１は、少なくともフィルタ２１が前方から後方へ移動している期間中は回転しており、その回転方向は、フィルタ２１の進行方向に逆らう方向である。
【００５０】
フィルタ２１が前方から後方へ移動し塵埃の除去が終了すると、制御部は、ローラー３０を逆回転させる。第２端部２１ｂは、ピニオン３１と噛み合っているので、ピニオン３１から第1ギア２１１及び第２ギア２１２それぞれに回転が伝達され、フィルタ２１は、ローラー３０によって下方案内溝４２ｂで方向転換して前方案内溝４２ａ側へ搬送される。ローラー３０が逆回転し続けると、第２端部２１ｂは上方案内溝４２ｄに入り上方案内溝４２ｄの終端に到達する。
【００５１】
第２端部２１ｂが上方案内溝４２ｄの終端に到達すると、リミットスイッチが押されオン動作する。空調機の制御部は、リミットスイッチから出力されるオン信号から第２端部２１ｂが上方案内溝４２ｄの終端に到達したと判断し、ローラー３０の回転を停止させる。
【００５２】
（４）フィルタ２１の着脱操作
図２において、使用者がフィルタ２１を交換する場合、フレーム４１の前面に位置するフィルタ押さえ部材４３を上方へ移動させて、フィルタ案内溝４２の前方案内溝４２ａを開く。フィルタ押さえ部材４３は、２つの押さえ部４３ａと各押さえ部４３ａを繋ぐ連結部４３ｂを有している。押さえ部４３ａは、前方案内溝４２ａの一部を成し、案内スリット４４によって定位置に拘束されている。但し、使用者は、押さえ部４３ａを持って上下に平行移動させることができる。
【００５３】
図７は、フィルタ押さえ部材がフィルタ案内溝の前方を閉じているときのフィルタ清掃部の断面図である。また、図８は、フィルタ押さえ部材がフィルタ案内溝の前方を開けているときのフィルタ清掃部の断面図である。図７、図８において、フィルタ押さえ部材４３の押さえ部４３ａは、案内スリット４４に沿って上下に平行移動することができる。
【００５４】
図７に示すように、押さえ部４３ａがフィルタ案内溝４２の前方案内溝４２ａを成しているときは、押さえ部４３ａは、使用者の手で上方に引き上げられない限り、案内スリット４４の上方へ移動することはできない。
【００５５】
フィルタ２１は、フレーム４１内に装着されているとき、フィルタ案内溝４２に沿って湾曲している。このため、押さえ部４３ａはフィルタ２１の反発力を受けているが、案内スリット４４に拘束されているので、フィルタ２１の反発力によって押さえ部４３ａがフィルタ案内溝４２を開放するようなことはない。
【００５６】
また、図８に示すように、押さえ部４３ａが、一旦、使用者の手によってフィルタ案内溝４２から離されたときは、使用者の手で下方に引き下げられない限り、フィルタ案内溝４２の前方案内溝４２ａが開放された状態を維持し、フィルタ２１の着脱が可能となる。
【００５７】
ユーザーは、開放された前方案内溝４２ａからフィルタ２１の第１端部２１ａを持って引き出すこともでき、逆に、ユーザーは、開放された前方案内溝４２ａからフィルタ２１の第２端部２１ｂ（図４参照）を先頭に挿入し、フィルタ２１を押し込むこともできる。
【００５８】
このとき、例えば、ユーザーが、第１ギア２１１とピニオン３１との噛み合い位置に対して、第２ギア２１２とピニオン３１との噛み合い位置がずれた状態でフィルタ２１を装着した場合、第１ギア２１１と第２ギア２１２との距離Ｌに対する第１ギア２１１および第２ギア２１２の山部２１ｍのピッチＰの比率が小さいほど、第２ギア２１２とピニオン３１との噛み合い位置がずれていることが認識され難く、そのままの状態で使用された場合、フィルタ２１の移動に支障をきたす。
【００５９】
しかしながら、本実施形態では、第１ギア２１１と第２ギア２１２との距離Ｌに対する第１ギア２１１および第２ギア２１２の山部２１ｍのピッチＰの比率が０．０２０〜０．０５０となるように設定されているので、仮に第１ギア２１１とピニオン３１との噛み合い位置に対して、第２ギア２１２とピニオン３１との噛み合い位置がずれていた場合、フィルタ２１の姿勢が不自然となり変形による反発力を増す。その結果、フィルタ２１が装着された時にフィルタ２１が自らの力で正しい位置へ復帰しようとする。また、見た目にもギア同士の噛み合いズレが明らかになるので、ユーザーによるフィルタ２１の誤装着も抑制される。
【００６０】
さらに、ユーザーが第２ギア２１２とピニオン３１との噛み合い位置がズレていることに気付かずにいても、フィルタ２１が不自然に変形しているので、ユーザーは、フィルタ押さえ部材４３をフィルタ２１に接触させた時点でフィルタ２１の誤装着を認知することもできる。
【００６１】
（５）特徴
（５−１）
空気調和機の室内ユニット２では、フィルタ２１は、フィルタ清掃部４０のフレーム４１に対し着脱可能である。また、フィルタ２１には、ピニオン３１と噛み合う第１ギア２１１及び第２ギア２１２が形成されている。第１ギア２１１と第２ギア２１２とは、フィルタ２１の移動方向と交差する幅方向に所定距離Lだけ離れて位置している。また、所定距離Ｌに対する第１ギア２１１及び第２ギア２１２の山部２１ｍのピッチＰの比率が０．０２０〜０．０５０である。
【００６２】
それゆえ、仮に、第１ギア２１１とピニオン３１との噛み合い位置に対して、第２ギア２１２とピニオン３１との噛み合い位置がずれていた場合でも、フィルタ２１の姿勢が不自然となり変形による反発力が増す。その結果、フィルタ２１が自らの力で正しい位置へ復帰しようとする。また、見た目にもギア同士の噛み合いズレが明らかになるので、人によるフィルタ２１の誤装着も抑制される。なお、上記比率は、０．０２５〜０．０４０がより好ましい。
【００６３】
（５−２）
第１ギア２１１及び第２ギア２１２では、山部２１ｍおよび山部２１ｍに隣接する谷部２１ｖが並ぶ方向において、谷部２１ｖの長さは山部２１ｍの長さより大きい。それゆえ、第1ギア２１１及び第２ギア２１２は屈曲し易く、フィルタ２１が円弧状の軌道を循環する場合、容易に屈曲するので移動時にピニオン３１にかかる負荷が低減される。
【００６４】
（５−３）
空気調和機の室内ユニット２では、フィルタ２１がフレーム４１から外されるとき、フィルタ押さえ部材４３がフィルタ２１から離れる方向に操作される。また、フィルタ２１がフレーム４１に装着されたとき、フィルタ押さえ部材４３がフィルタ２１に接する方向に操作される。それゆえ、ユーザーが、ギア同士の噛み合いズレに気付かずにいても、フィルタ２１が不自然に変形しているので、ユーザーはフィルタ押さえ部材４３をフィルタ２１に接触させた時点でフィルタ２１の誤装着を認知することができる。
【００６５】
また、第１ギア２１１及び第２ギア２１２はピニオン３１とフィルタ押さえ部材４３とによって挟まれるので、第１ギア２１１及び第２ギア２１２がピニオン３１からの動力伝達を受けたときの反力でフィルタ２１がフレーム４１から浮き上がろうとしても、フィルタ押さえ部材４３がフィルタ２１をフレーム４１側へ押しているので、フレーム４１から浮き上がることは防止される。
【００６６】
（６）その他の実施形態
上記実施形態では、移動方向と交差する方向の幅寸法が同じである２つフィルタ２１が使用されている。しかし、移動方向と交差する方向の幅寸法がそれぞれ異なる複数のフィルタを含み、第１ギア２１１と第２ギア２１２とが、複数のフィルタ毎に、フィルタそれぞれの幅寸法に応じて所定距離だけ離れて位置する場合がある。
【００６７】
このような場合、所定距離のうち最も大きい所定距離Ｌに対する第１ギア２１１及び第２ギア２１２の山部２１ｍのピッチＰの比率が０．０２０〜０．０５０に（好ましくは０．０２５〜０．０４０に）設定されていればよい。
【００６８】
なぜなら、最大の所定距離Ｌにおいてフィルタの姿勢が不自然となり変形による反発力が増すならば、所定距離がＬよりも短いフィルタについても、姿勢が不自然となり変形による反発力が増すからである。その結果、フィルタが自らの力で正しい位置へ復帰しようとするし、見た目にもギア同士の噛み合いズレが明らかになる。
【産業上の利用可能性】
【００６９】
以上のように、本発明によれば、フィルタの装着時にフィルタが正規姿勢で装着されているか否かが瞬時に判明する。そうすると、フィルタに限らず、シート状部材をラック＆ピニオン機構で移動させる機器に本発明が適用されることによって、シート状部材が正規姿勢で装着されているか否かが容易に判明する。よって、本発明は、シート状部材をラック＆ピニオン機構で移動させるような機器にも有用である。
【符号の説明】
【００７０】
２１  フィルタ（フィルタ群）
３１  駆動ギア
４１  フレーム
４３  押さえ部材
６１  回転ブラシ（塵埃除去手段）
２１１  第１ギア
２１２  第２ギア
【先行技術文献】
【特許文献】
【００７１】
【特許文献１】特開２００８−１３８９７７号公報
【図１】
2012102905.tif 000003
【図２】
2012102905.tif 000004
【図３】
2012102905.tif 000005
【図４】
2012102905.tif 000006
【図５】
2012102905.tif 000007
【図６】
2012102905.tif 000008
【図７】
2012102905.tif 000009
【図８】
2012102905.tif 000010